(57)【要約】【課題】  余白部に画像を容易に印刷可能とし、さらに印刷用紙の使用量を減らすこと。【解決手段】  使用済みの印刷用紙に新たな画像を印刷する印刷装置であって、印刷用紙の画像が印刷されている紙面から余白部を検出し（ステップＳ１０３）、その検出された余白部に前記新たな画像を印刷するようにした（ステップＳ１０４）。【選択図】    図３
2005119036.tif 000002
【特許請求の範囲】
【請求項１】
既に画像が印刷されている印刷用紙に所定画像を印刷する印刷装置であって、印刷用紙の画像が印刷されている紙面から余白部を検出する検出手段と、その検出された余白部に前記所定画像を印刷する印刷手段とを備えたことを特徴とする印刷装置。
【請求項２】
前記検出手段は、印刷用紙の画像が印刷されている紙面を撮像する２次元イメージセンサと、その撮像された紙面のデータに基づいて前記紙面から余白部を検出する余白部検出手段とを備えたことを特徴とする請求項１に記載の印刷装置。
【請求項３】
既に印刷されていた画像と前記余白部に印刷された画像とを識別するための画像を印刷することを特徴とする請求項１又は２に記載の印刷装置。
【請求項４】
前記印刷手段は、既に画像が印刷されている領域と余白部との境界を示す画像を当該境界に印刷することを特徴とする請求項３に記載の印刷装置。
【請求項５】
前記印刷手段は、既に画像が印刷されている領域を示す画像を当該領域に印刷することを特徴とする請求項３又は４に記載の印刷装置。
【請求項６】
前記印刷手段は、前記所定画像の大きさが前記印刷用紙の余白部の大きさより大きいときには前記所定画像を縮小して印刷することを特徴とする請求項１〜５のいずれか１項に記載の印刷装置。
【請求項７】
前記印刷手段は、前記所定画像の縮小率に下限値を設けたことを特徴とする請求項６に記載の印刷装置。
【発明の詳細な説明】
【技術分野】
【０００１】
本発明は、印刷用紙に所定の画像を印刷する印刷装置に関するものである。
【背景技術】
【０００２】
現在、環境問題やコスト削減の観点から印刷用紙の使用量を減らすために、既に画像が印刷されている紙面の裏側を、さらに新たな画像の印刷に使用することが行われている。
また、既に画像が印刷されている紙面に大きな余白部があるときには、その余白部を新たな画像の印刷に使用すれば、さらに印刷用紙の使用量を減らすことができる。なお、余白部に新たな画像を印刷する技術としては、利用者が名刺を搬送し、名刺の余白部を印刷位置に手動で位置決めする技術がある（例えば、特許文献１参照。）。
【特許文献１】特開２００３−２０９７７２号公報
【発明の開示】
【発明が解決しようとする課題】
【０００３】
しかしながら、上記従来の技術のうち前者のものにあっては、単に、画像が印刷されていない紙面に新たな画像を印刷するようになっているため、例えば、既に画像が印刷されている紙面に印刷を行うと、新たな画像が既に印刷されている画像に重なって印刷されてしまい、その重なった部分の画像を読めなくなってしまう恐れがあった。
また、後者のものにあっては、余白部を手動で位置決めするようになっているため、既に印刷されている画像に新たな画像が重ならないように印刷することもできるが、位置決め作業に手間がかかってしまい、さらに印刷用紙の使用量を減らすことが困難であった。
そこで、本発明は、上記従来の技術の未解決の問題を解決することを目的とするものであって、余白部に画像を容易に印刷でき、さらに印刷用紙の使用量を減らすことができる印刷装置を提供することを課題とする。
【課題を解決するための手段】
【０００４】
上記課題を解決するために、第１の発明である印刷装置は、既に画像が印刷されている印刷用紙に所定画像を印刷する印刷装置であって、印刷用紙の画像が印刷されている紙面から余白部を検出する検出手段と、その検出された余白部に前記所定画像を印刷する印刷手段とを備えたことを特徴とするものである。
また、第２の発明である印刷装置は、前記検出手段は、印刷用紙の画像が印刷されている紙面を撮像する２次元イメージセンサと、その撮像された紙面のデータに基づいて前記紙面から余白部を検出する余白部検出手段とを備えたことを特徴とするものである。
【０００５】
この第１及び第２の発明によれば、新たな画像が既に印刷されている画像に重なって印刷されてしまうことが回避され、余白部に画像を容易に印刷でき、さらに印刷用紙の使用量を減らすことができる。
さらに、第３の発明である印刷装置は、既に印刷されていた画像と前記余白部に印刷された画像とを識別するための画像を印刷することを特徴とするものである。
【０００６】
また、第４の発明である印刷装置は、前記印刷手段は、既に画像が印刷されている領域と余白部との境界を示す画像を当該境界に印刷することを特徴とするものである。
さらに、第５の発明である印刷装置は、前記印刷手段は、既に画像が印刷されている領域を示す画像を当該領域に印刷することを特徴とするものである。
これら第３〜５発明によれば、既に印刷されていた画像と余白部に新たに印刷された画像とを容易に識別することができる。
また、第６の発明である印刷装置は、前記印刷手段は、前記所定画像の大きさが前記印刷用紙の余白部の大きさより大きいときには前記所定画像を縮小して印刷することを特徴とするものである。
【０００７】
この第６の発明によれば、余白部が小さいときにも、新たな画像を印刷することができ、さらに印刷用紙の使用量を減らすことができる。
さらに、第７の発明である印刷装置は、前記印刷手段は、前記所定画像の縮小率に下限値を設けたことを特徴とするものである。
この第７の発明によれば、新たに印刷された画像が縮小されすぎて判読不能となることを防止でき、可読性が損なわれることを防止できる。
【発明を実施するための最良の形態】
【０００８】
以下、本発明に係る印刷装置の実施の形態を図面に基づいて説明する。
図１は、本発明の一実施形態である印刷システム１の外部構成を示す概略構成図であり、図２は、その印刷システム１の内部構成を示すブロック図である。これら図１及び図２に示すように、この印刷システム１は、新たに印刷する画像を生成するパーソナルコンピュータ２と、その生成された画像を印刷するプリンタ３とで構成される。
【０００９】
これらのうちパーソナルコンピュータ２は、図３に示すように、ディスプレイに表示された文字の画像の範囲を指定する操作や写真の画像を指定する操作に従って、指定された文字や写真に対応する画像データを記憶装置から読み込み、その画像データをプリンタ３の後述する印刷制御部５に出力する。また、パーソナルコンピュータ２は、キーボード操作に従って、使用済みの印刷用紙に既に画像が印刷されていた既印刷領域と余白部との境界線を印刷する境界線描画信号をプリンタ３の後述する印刷制御部５に出力する。
【００１０】
また、プリンタ３は、撮像装置４、印刷制御部５、作像部６及び搬送部７で構成される。これらのうち撮像装置４は、給紙トレイ９の上方に配され、その給紙トレイ９に、既に画像が印刷されている面を上側に向けて載置された使用済みの印刷用の上面を撮像する。なお撮像装置４としては、ＣＣＤ(charge-coupled device)カメラ等が挙げられる。
また、印刷制御部５は、パーソナルコンピュータ２から画像データが出力されると、後述する余白部印刷処理を実行し、撮像装置４に撮像させた印刷用紙の上面の画像データに基づいて印刷用紙の余白部を検出したのち、作像部６に、感光体ドラム８を露光させ、その露光させた感光体ドラム８に前記画像データの静電潜像を形成させ、その形成させた静電潜像をトナーによって現像させ、また搬送部７に、給紙トレイ９に載置されている印刷用紙を搬送させ、その現像させたトナーを印刷用紙の前記検出された余白部に転写させ、その転写させた印刷用紙を排紙トレイ１０に搬送させる。
【００１１】
次に、印刷制御部５で実行される余白部印刷処理を、図４のフローチャートに従って説明する。この余白部印刷処理は、パーソナルコンピュータ２から画像データが出力されると実行される処理であって、まずそのステップＳ１０１で、図５に示すように、給紙トレイ９に載置されている使用済みの印刷用紙の上面を撮像装置４に撮像させる。
次にステップＳ１０２に移行して、前記ステップＳ１０１で撮像させた画像のデータを読み込み、その読み込まれた画像のデータを白黒のモノクロ画像データに変換する。
【００１２】
次にステップＳ１０３に移行して、前記ステップＳ１０２で変換されたモノクロ画像データに基づいて印刷用紙の余白部（印刷がされていない部分）を検出する後述する余白部検出処理を実行する。
次にステップＳ１０４に移行して、前記ステップＳ１０３で検出された印刷用紙の余白部にパーソナルコンピュータ２から出力される画像データに応じた画像を印刷する印刷処理を実行してから、この演算処理を終了する。
【００１３】
次に、前記余白部印刷処理のステップＳ１０３で実行される余白部検出処理を、図６のフローチャートに従って説明する。この余白部検出処理は、前記余白部印刷処理のステップＳ１０２で変換されたモノクロ画像データに基づいて印刷用紙の余白部を検出する処理であって、まずそのステップＳ２０１で、前記ステップＳ１０２で変換されたモノクロ画像データを構成する画素データに対応する座標値（Ｘ，Ｙ）を１つ選択する。なお、画素データの座標は、平面視左上隅を原点とし、平面視下方向をＹ軸の正方向とし、平面視右方向をＸ軸の正方向とするＸＹ座標系で表現する。
【００１４】
具体的には、このステップが最初に実行されたときには、座標値（０，０）を選択し、そうでないときには、このステップが前回実行されたときに設定された座標値（Ｘo，Ｙo）のＸ座標値が、前記モノクロ画像データが対応する画像の平面視右端に対応する座標値より小さいか否かを判定し、平面視右端に対応する座標値より小さい場合には当該Ｘ座標値に「１」を加算した座標値（Ｘo＋１，Ｙo）を選択する。
【００１５】
また、その平面視右端に対応する座標値である場合には、このステップが前回実行されたときに設定された座標値（Ｘo，Ｙo）のＹ座標値に「１」を加算し且つＸ座標値を「０」とした座標値（０，Ｙo＋１）を選択する。
次にステップＳ２０２に移行し、前記ステップＳ２０１で設定された座標値（Ｘ，Ｙ）に対応する画素データが黒色に対応するものであるか否かを判定し、黒色に対応するものである場合には（Ｙｅｓ）ステップＳ２０３に移行し、そうでない場合には（Ｎｏ）ステップＳ２１１に移行する。
【００１６】
前記ステップＳ２０３では、前記ステップＳ２０１で設定された座標値（Ｘ，Ｙ）のＸ座標値が最小Ｘ座標値用変数Ｘminより小さいか否かを判定し、最小Ｘ座標値用変数Ｘminより小さい場合には（Ｙｅｓ）ステップＳ２０４に移行し、そうでない場合には（Ｎｏ）ステップＳ２０５に移行する。なお、初期状態にあっては、最小Ｘ座標値用変数Ｘminを前記ステップＳ１０２で変換されたモノクロ画像データに対応する画像の平面視右端に対応する座標値とする。
【００１７】
前記ステップＳ２０４では、前記ステップＳ２０１で設定された座標値（Ｘ，Ｙ）のＸ座標を最小Ｘ座標値用変数Ｘminとしてから、前記ステップＳ２０５に移行する。
前記ステップＳ２０５では、前記ステップＳ２０１で設定された座標値（Ｘ，Ｙ）のＸ座標値が最大Ｘ座標値用変数Ｘmaxより大きいか否かを判定し、最大Ｘ座標値用変数Ｘmaxより大きい場合には（Ｙｅｓ）ステップＳ２０６に移行し、そうでない場合には（Ｎｏ）ステップＳ２０７に移行する。なお、初期状態にあっては、最大Ｘ座標値用変数Ｘmaxを「０」とする。
【００１８】
前記ステップＳ２０６では、前記ステップＳ２０１で設定された座標値（Ｘ，Ｙ）のＸ座標値を最大Ｘ座標値用変数Ｘmaxとしてから、前記ステップＳ２０７に移行する。
前記ステップＳ２０７では、前記ステップＳ２０１で設定された座標値（Ｘ，Ｙ）のＹ座標値が最小Ｙ座標値用変数Ｙminより小さいか否かを判定し、最小Ｙ座標値用変数Ｙminより小さい場合には（Ｙｅｓ）ステップＳ２０４に移行し、そうでない場合には（Ｎｏ）ステップＳ２０５に移行する。なお、初期状態にあっては、最小Ｙ座標値用変数Ｙminを前記ステップＳ１０２で変換されたモノクロ画像データに対応する画像の平面視下端に対応する座標値とする。
【００１９】
前記ステップＳ２０８では、前記ステップＳ２０１で設定された座標値（Ｘ，Ｙ）のＹ座標を最小Ｙ座標値用変数Ｙminとしてから、前記ステップＳ２０９に移行する。
前記ステップＳ２０９では、前記ステップＳ２０１で設定された座標値（Ｘ，Ｙ）のＹ座標値が最大Ｙ座標値用変数Ｙmaxより大きいか否かを判定し、最大Ｙ座標値用変数Ｙmaxより大きい場合には（Ｙｅｓ）ステップＳ２１０に移行し、そうでない場合には（Ｎｏ）ステップＳ２１１に移行する。なお、初期状態にあっては、最大Ｙ座標値用変数Ｙmaxを「０」とする。
【００２０】
前記ステップＳ２１０では、前記ステップＳ２０１で設定された座標値（Ｘ，Ｙ）のＹ座標を最大Ｙ座標値用変数Ｙmaxとしてから、前記ステップＳ２１１に移行する。
前記ステップＳ２１１では、前記ステップＳ２０１で設定された座標値（Ｘ，Ｙ）が、前記ステップＳ１０２で変換されたモノクロ画像データに対応する画像の平面視右下隅に対応する座標値であるか否かを判定し、平面視右下隅に対応する座標値である場合には（Ｙｅｓ）、図７に示すように、Ｐ１（Ｘmin，Ｙmin）、Ｐ２（Ｘmax，Ｙmin）、Ｐ３（Ｘmin，Ｙmax）、Ｐ４（Ｘmax，Ｙmax）の４点で囲まれた既印刷領域を除く領域が印刷用紙の余白部としてこの演算処理を終了し、そうでない場合には（Ｎｏ）前記ステップＳ２０１に移行する。
【００２１】
次に、前記余白部印刷処理のステップＳ１０４で実行される印刷処理を、図８のフローチャートに従って説明する。この印刷処理は、前記ステップＳ１０３で検出された印刷用紙の余白部にパーソナルコンピュータ２から出力される画像データに応じた画像を印刷する処理であって、まずそのステップＳ３０１で、パーソナルコンピュータ２から出力される画像データを印刷するために必要とされる印刷用領域の大きさを算出し、その印刷用領域の大きさが前記ステップＳ１０３で検出された印刷用紙の余白部の大きさより小さいか否かを判定し、余白部の大きさより小さい場合には（Ｙｅｓ）ステップＳ３０２に移行し、そうでない場合には（Ｎｏ）ステップＳ３０６に移行する。
【００２２】
前記ステップＳ３０２では、パーソナルコンピュータ２から出力される画像データを印刷するために必要とされる印刷用領域の大きさが、前記ステップＳ１０３で検出された印刷用紙の余白部の大きさより小さくなるように当該画像データに含まれる文字のフォントサイズ、文字間隔及び行間隔、及び当該画像データに含まれる写真の倍率を縮小する。
次にステップＳ３０３に移行して、前記ステップＳ３０２で縮小された文字のうち最も小さい文字のフォントサイズが所定閾値（例えば、９ポイント）より小さいか否かを判定し、所定閾値より小さい場合には（Ｙｅｓ）ステップＳ３０４に移行し、そうでない場合には（Ｎｏ）ステップＳ３０５に移行する。
【００２３】
前記ステップＳ３０４では、パーソナルコンピュータ２から出力される画像データに含まれる文字のうち最も小さい文字のフォントサイズが前記所定閾値（例えば、９ポイント）となるように当該画像データに含まれる文字のフォントサイズ、文字間隔及び行間隔、及び当該画像データに含まれる写真の倍率を縮小したのち、その縮小された画像データを複数枚の印刷用紙に分割して印刷することを示す複数枚印刷フラグＦ１を「１」のセット状態としてから、前記ステップＳ３０５に移行する。なお、初期状態にあっては、複数枚印刷フラグＦ１を「０」のリセット状態とする。
【００２４】
前記ステップＳ３０５では、パーソナルコンピュータ２から境界線描画信号が出力されているか否かを判定し、境界線描画信号が出力されている場合には、前記ステップＳ１０３で検出された既印刷領域と余白部との境界線を印刷することを示す境界線フラグＦ２を「１」のセット状態とし、そうでない場合には境界線フラグＦ２を「０」のリセット状態とする。
【００２５】
次にステップＳ３０６に移行して、作像部６に、感光体ドラム８を露光させ、その露光させた感光体ドラム８にパーソナルコンピュータ２から出力される画像データ或いは前記ステップＳ３０２又はＳ３０４で縮小された画像データの静電潜像を形成させ、その形成させた静電潜像をトナーによって現像させ、また搬送部７に、給紙トレイ９に載置されている印刷用紙を搬送させ、その現像させたトナーを印刷用紙の前記ステップＳ１０３で検出された余白部に転写させ、その転写された印刷用紙を排紙トレイ１０に搬送させてから、この演算処理を終了する。なお、複数枚印刷フラグＦ１が「１」のセット状態であるときには、前記ステップＳ３０４で縮小された画像データを複数枚の印刷用紙に分割して印刷する。また、境界線フラグＦ２が「１」のセット状態であるときには、図９に示すように、前記ステップＳ１０３で検出された既印刷領域と余白部との境界線も印刷する。
【００２６】
次に、本実施の形態の動作を具体的状況に基づいて詳細に説明する。
まず、利用者がパーソナルコンピュータ２のディスプレイに表示された画像からメモ程度の文字の画像を指定したのち、既印刷領域と余白部との境界線が印刷されるようにキーボードを操作したとする。すると、パーソナルコンピュータ２で、その指定された文字に対応する画像データが記憶装置から読み込まれ、その画像データがプリンタ３の印刷制御部５に出力され、また境界線描画信号が出力される。パーソナルコンピュータ２から画像データが出力されると、印刷制御部５で、余白部印刷処理が実行され、まずそのステップＳ１０１で、給紙トレイ９に載置されている使用済みの印刷用紙の上面を撮像装置４に撮像させ、ステップＳ１０２で、その撮像させた画像のデータが読み込まれ、その読み込まれた画像のデータが白黒のモノクロ画像データに変換され、ステップＳ１０３で、その変換されたモノクロ画像データに基づいて余白部検出処理が実行される。
【００２７】
この余白部検出処理が実行されると、図６に示すように、まずそのステップＳ２０１で、座標値（０，０）が選択され、図５に示すように、給紙トレイ９に載置されている使用済みの印刷用紙の上面の平面視左上隅が白色であるとすると、ステップＳ２０２の判定が「Ｎｏ」となり、ステップＳ２１１の判定が「Ｎｏ」となり、前記ステップＳ２０１から上記フローが繰り返し実行される。
【００２８】
上記フローが繰り返し実行されるうちに、対応する画素データが黒色に対応するものになったとする。すると、前記ステップＳ２０２の判定が「Ｙｅｓ」となり、ステップＳ２０３の判定が「Ｙｅｓ」となり、ステップＳ２０４で、前記ステップＳ２０１で設定された座標値（Ｘ，Ｙ）のＸ座標値が最小Ｘ座標値用変数Ｘminとされ、ステップＳ２０５の判定が「Ｎｏ」となり、ステップＳ２０７の判定が「Ｙｅｓ」となり、ステップＳ２０８で、前記ステップＳ２０１で設定された座標値（Ｘ，Ｙ）のＹ座標が最小Ｙ座標値用変数Ｙminとされ、ステップＳ２０９の判定が「Ｎｏ」となり、前記ステップＳ２１１の判定が「Ｎｏ」となり、前記ステップＳ２０１から上記フローが繰り返し実行される。
上記フローが繰り返し実行されるうちに、最大Ｘ座標値用変数Ｘmax及び最大Ｙ座標値用変数Ｙmaxも設定され、モノクロ画像データに対応する画像の平面視右下隅に対応する座標値が設定されると、図７に示すように、既印刷領域を除く領域が印刷用紙の余白部とされ、この演算処理が終了し、前記余白部印刷処理に復帰する。
【００２９】
この余白部印刷処理に復帰すると、ステップＳ１０４で、その検出された印刷用紙の余白部に基づいて印刷処理が実行され、その印刷用領域の大きさが印刷用紙の余白部の大きさより小さいとすると、図８に示すように、まずそのステップＳ３０１で判定が「Ｙｅｓ」となり、ステップＳ３０２で、パーソナルコンピュータ２から出力される画像データを印刷するために必要とされる印刷用領域の大きさが、印刷用紙の余白部の大きさより小さくなるように当該画像データに含まれる文字のフォントサイズ、文字間隔及び行間隔、及び当該画像データに含まれる写真の倍率が縮小され、その縮小された文字のうち最も小さい文字のフォントサイズが９ポイントより小さいとすると、ステップＳ３０３の判定が「Ｙｅｓ」となり、ステップＳ３０４で、パーソナルコンピュータ２から出力される画像データに含まれる文字のうち最も小さい文字のフォントサイズが９ポイントとなるように当該画像データに含まれる文字のフォントサイズ、文字間隔及び行間隔、及び当該画像データに含まれる写真の倍率が縮小されたのち、複数枚印刷フラグＦ１が「１」のセット状態とされ、ステップＳ３０５で、境界線フラグＦ２が「１」のセット状態とされ、ステップＳ３０６で、作像部６に、感光体ドラム８を露光させ、その露光させた感光体ドラム８に前記ステップＳ３０４で縮小された画像データの静電潜像を形成させ、その形成させた静電潜像をトナーによって現像させ、また搬送部７に、給紙トレイ９に載置されている印刷用紙を搬送させ、その現像させたトナーを印刷用紙の前記ステップＳ１０３で検出された余白部に転写させ、図９に示すように、その転写された印刷用紙を排紙トレイ１０に搬送させる。その際、前記ステップＳ３０４で縮小された画像データが複数枚の印刷用紙に分割され、また既印刷領域と余白部との境界線も印刷される。
【００３０】
このように本実施形態によれば、使用済みの印刷用紙の余白部にメモ等の新たな画像を印刷できるようにしたため、新たな画像が既に印刷されている画像に重なって印刷されてしまうことが回避され、余白部に画像を容易に印刷でき、さらに印刷用紙の使用量を減らすことができる。また、余白部の形状を問わずに、新たな画像を印刷できるようにしたため、レイアウトの変化に柔軟に対応することができる。
【００３１】
また、既印刷領域と余白部との境界を印刷するようにしたため、印刷用紙に既に印刷されていた画像と余白部に新たに印刷された画像とを容易に識別することができる。
また、新たに印刷する画像の大きさが印刷用紙の余白部より大きいときには、その画像に含まれる文字のフォントサイズ等を縮小して印刷するようにしたため、余白部が小さいときにも、新たな画像を印刷でき、さらに印刷用紙の使用量を減らすことができる。
【００３２】
さらに、新たに印刷する画像に含まれる文字のフォントサイズの縮小率に下限値を設けるようにしたため、文字が縮小されすぎて可読性が損なわれることを防止できる。
なお、上記実施形態では、図１及び図２の撮像装置４、図４のステップＳ１０３及び図６のステップＳ２０１〜Ｓ２１１が検出手段及び余白部検出手段を構成し、図４のステップＳ１０４及び図８のステップＳ３０１〜Ｓ３０６が印刷手段を構成し、図１及び図２の撮像装置４が２次元イメージセンサを構成する。
【００３３】
なお、上記実施形態では、印刷用紙から新たに印刷した部分を容易に判別できるように既印刷領域と余白部との境界線を印刷する例を示したが、これに限られるものではなく、例えば、既印刷領域に大きな×印を印刷するようにしてもよい。
また、フォントサイズが所定閾値より小さいときに画像データを複数枚の印刷用紙に分割して印刷する例を示したが、これに限られるものではなく、例えば、文字間隔及び行間隔、及び当該画像データの少なくとも１つが所定閾値より小さいときに画像データを分割して印刷するようにしてもよい。
【００３４】
さらに、既に印刷されている画像と無関係なメモ等の文字の画像を印刷する例を示したが、これに限られるものではなく、例えば、既に写真の画像が印刷されているときには、その写真の画像を説明するための文章の画像を同じ印刷用紙に後から印刷するようにしてもよく、そのようにすれば、写真の画像と文章の画像とを新しい印刷用紙に同時に印刷しなおす方法に比べ、印刷用紙の使用量とトナーの使用量とを減らすことができる。また、図１０（ａ）に示すように、印刷用紙の縁に手書きで枠（以下、フレームとも呼ぶ。）を描き、図１０（ｂ）及び（ｃ）に示すように、そのフレーム内に写真や文章等を後から印刷するようにしてもよく、そのようにすれば、オリジナルのフレームを容易に作成することができ、またフレームの画像を写真や文章等の画像と同時に印刷する方法に比べ、手作り感をだすことができる。
【図面の簡単な説明】
【００３５】
【図１】本発明の印刷装置の一実施形態を示す概略構成図である。
【図２】図１の印刷装置の内部構成を示すブロック図である。
【図３】画像の指定方法を説明するための説明図である。
【図４】印刷制御部で実行される余白部印刷処理を示すフローチャートである。
【図５】使用済みの印刷用紙を説明するための説明図である。
【図６】印刷制御部で実行される余白部検出処理を示すフローチャートである。
【図７】既印刷領域と余白部とを説明するための説明図である。
【図８】印刷制御部で実行される印刷処理を示すフローチャートである。
【図９】既印刷領域と余白部との境界線を説明するための説明図である。
【図１０】本発明の応用例を説明するための説明図である。
【符号の説明】
【００３６】
１は印刷システム、２はパーソナルコンピュータ、３はプリンタ、４は撮像装置、５は印刷制御部、６は作像部、７は搬送部、８は感光体ドラム、９は給紙トレイ、１０は排紙トレイ
【図１】
2005119036.tif 000003
【図２】
2005119036.tif 000004
【図３】
2005119036.tif 000005
【図４】
2005119036.tif 000006
【図５】
2005119036.tif 000007
【図６】
2005119036.tif 000008
【図７】
2005119036.tif 000009
【図８】
2005119036.tif 000010
【図９】
2005119036.tif 000011
【図１０】
2005119036.tif 000012